(57)【要約】【課題】平坦な化粧パネルの前面に棚装置を容易に設置および撤去でき、外見に優れた展示用棚装置を提供する。【解決手段】複数の支柱１の前面に平坦な化粧パネル２が配置された壁面に設置される棚装置で、複数の支柱１の側面に取り付けられる複数の嵌合金具４と、嵌合金具４にそれぞれ対応して化粧パネル２に形成された貫通穴７と、基端部が貫通穴７を介して嵌合金具４に着脱自在に装着される腕木材３と、水平方向に対向する腕木材３間に横架される棚板８とを具備し、腕木材３の基端側中空部に、嵌合金具４に係合離脱可能な係脱具を内挿し、腕木材３が嵌合金具４に装着された装着状態で、前記係脱具の解除用突起５５を化粧パネル３の前面側から操作可能な位置に配置した。【選択図】図１
0003119763.tif 000002
【実用新案登録請求の範囲】
【請求項１】
複数の支柱の前面に平坦な化粧パネルを配置した壁面に設置される展示用棚装置であって、
複数の支柱の側面で水平方向に対向する位置にそれぞれ取り付けられる複数の嵌合金具と、
これら嵌合金具にそれぞれ対応して化粧パネルに形成された貫通穴と、
基端部が前記貫通穴を介して嵌合金具に着脱自在に装着される腕木材と、
水平方向に対向する腕木材間に横架される棚板とを具備し、
腕木材の基端部に、嵌合金具に係合離脱可能な係脱具を内挿し、
前記係脱具の解除用突起を、腕木材が嵌合金具に装着された状態で化粧パネルの前面側から操作可能な位置に配置した
展示用棚装置。
【請求項２】
腕木材の基端側中空部に、係止用穴を基端側に形成するとともに、操作用穴を先端側に形成し、
嵌合金具に、腕木材が当該嵌合金具に装着された状態で前記係止用穴と重なる位置に固定穴を形成し、
係脱具は、作動辺部と湾曲部と反力受け部とが一体に形成されて拡開方向に付勢される略Ｕ字形または略Ｊ字形の板ばね本体を有し、前記作動辺部に、前記係止用穴から前記固定穴に嵌合可能な固定用突起と、前記操作用穴から外側に突出される解除用突起とが突設された
請求項１記載の展示用棚装置。
【請求項３】
非使用時の化粧パネルの貫通穴に、閉止部材を取り付けた
請求項１または２記載の展示用棚装置。
【考案の詳細な説明】
【技術分野】
【０００１】
本考案は、壁面に着脱自在に設けられる展示用棚装置に関する。
【背景技術】
【０００２】
従来の展示用棚装置は、たとえば特許文献１に示されるように、壁面パネルに幅方向の係止溝を複数本形成しておき、棚用の腕木やフックなど展示用部材を目的の係止溝に取り付けて使用するものである。
【特許文献１】特開２００１−１２８８１３
【考案の開示】
【考案が解決しようとする課題】
【０００３】
この展示装置は、移動可能な壁面パネルに構成しているが、たとえば店舗内の壁面に設置する場合、係止溝を有する壁面パネルを壁面に取り付けておく必要がある。
しかし、この展示装置では、壁面パネルに対して腕木などの展示用部材の取り付け、取り外しは容易なものの、壁面の前面に係止溝が幅方向に形成されているので、壁面パネルは埃などが付着して汚れやすく、清掃回数も多く必要であり、特に棚装置を撤去した時に、係止溝が露出した壁面パネルでは外見が見劣りするといった問題があった。
【０００４】
本考案は、上記問題点を解決して、化粧パネルの前面に棚装置を容易に設置および撤去でき、外見に優れた展示用棚装置を提供することを目的とする。
【課題を解決するための手段】
【０００５】
請求項１記載の展示用棚装置は、複数の支柱の前面に平坦な化粧パネルを配置した壁面に設置される展示用棚装置であって、複数の支柱の側面で水平方向に対向する位置にそれぞれ取り付けられる複数の嵌合金具と、これら嵌合金具にそれぞれ対応して化粧パネルに形成された貫通穴と、基端部が前記貫通穴を介して嵌合金具に着脱自在に装着される腕木材と、水平方向に対向する腕木材間に横架される棚板とを具備し、腕木材の基端部に、嵌合金具に係合離脱可能な係脱具を内挿し、前記係脱具の解除用突起を、腕木材が嵌合金具に装着された状態で化粧パネルの前面側から操作可能な位置に配置したものである。
【０００６】
請求項２記載の展示用棚装置は、請求項１記載の構成において、腕木材の基端側中空部に、係止用穴を基端側に形成するとともに、操作用穴を先端側に形成し、嵌合金具に、腕木材が当該嵌合金具に装着された状態で前記係止用穴と重なる位置に固定穴を形成し、係脱具は、作動辺部と湾曲部と反力受け部とが一体に形成されて拡開方向に付勢される略Ｕ字形または略Ｊ字形の板ばね本体を有し、前記作動辺部に、前記係止用穴から前記固定穴に嵌合可能な固定用突起と、前記操作用穴から外側に突出される解除用突起とが突設されたものである。
【０００７】
請求項３記載の展示用棚装置は、請求項１または２記載の構成において、非使用時の化粧パネルの貫通穴に、閉止部材を取り付けたものである。
【考案の効果】
【０００８】
請求項１記載の考案によれば、棚装置を設置する場合には、腕木材を貫通穴を介して嵌合金具に嵌入し、係脱具により腕木材を嵌合金具に固定する。そして腕木材間に棚板を横架する。また棚装置を撤去する場合は、棚板を腕木材から外し、腕木材に設けられた解除用突起を押して係脱具を解除し腕木材を嵌合金具から引き抜く。このように、化粧パネルの前面側から、腕木材を嵌合金具から離脱させる操作を容易に行うことができるので、平坦な化粧パネルを設置した壁面に対して棚装置の設置や撤去を容易かつ短時間に行うことができる。また平坦な化粧パネルは、装飾も容易で、埃などの汚染も少なくメンテナンス性に優れている。
【０００９】
請求項２記載の考案によれば、拡開自在な板ばね本体の作動辺部に解除用突起と固定用突起とを有する係脱具を、腕木材の基端側中空部に内挿したので、簡単な構造で低コストで製造できて、腕木材を容易に嵌合金具に装着、離脱することができる。
【００１０】
請求項３記載の考案によれば、使用しない貫通穴に閉止部材を取り付けることにより、特に棚装置の撤去時の化粧パネルの外観を向上させることができる。
【考案を実施するための最良の形態】
【００１１】
以下、本考案の実施の形態を図面に基づいて説明する。
［実施の形態］
この展示用棚装置は、展示会場や店舗などの平坦な壁面に設置、撤去自在に設けられるものである。
【００１２】
図１に示すように、壁面には、幅方向に所定間隔毎に四角形断面の複数の支柱１が立設され、これら支柱１の前面に平坦な化粧パネル２が取り付けられている。これら支柱１は、壁体１０の前面に壁体１０と独立して設置されるか、または壁体１０内に一体に内設されてその一部が壁体１０内から前面に突出されている。この棚装置は、支柱１に取り付けられた嵌合金具４から化粧パネル２に形成された貫通穴７を介して腕木材３が突出され、これら複数の腕木材３間に棚板８が横架されている。前記腕木材３は基端部が嵌合金具４に挿入され、腕木材３の基端部に設けられた図５に示す係脱具５により嵌合金具４に抜け止めされている。腕木材３が装着されていない貫通穴７にはキャップ（閉止部材）６が取り付けられ、貫通穴７をカバーして化粧パネル２の外見を向上させている。
【００１３】
前記腕木材３はたとえば中空状の角筒形パイプにより形成され、図４，図５に示すように、腕木材３の基端側中空部に前記係脱具５が装着されている。
前記嵌合金具４は、図２に示すように、腕木材３が前面側から挿脱自在なチャンネル形の支持部４１と、この支持部４１の側部開口部から上方および下方にそれぞれ伸びて支柱１の側面に取り付けられる上下の取付片４２，４２と、支持部４１の奥端部に設けられて腕木材３の挿入限となる止め板４３とで構成されている。そして上下の取付片４２，４２には、前後位置にそれぞれ形成された固定用ビス穴４４，４４と、中央部で上下方向に長く形成された上下調整用ビス穴４５，４５と、これら上下調整用ビス穴４５，４５の上下外側にそれぞれ形成された傾動調整用ビス穴４７Ａ，４７Ｂとがそれぞれ形成されている。また支持部４１ａの下面に固定用ダボ穴（固定穴）４６が形成されている。前記傾動調整用ビス穴４７Ａ，４７Ｂは、上方の穴（上の取付片４２側）が円形で、下方の穴（下の取付片４２側）が上方の穴を中心とする円弧状の長穴に形成され、上方の傾動調整用ビス穴４７Ａを中心に嵌合金具４を傾動させて支持部４１の傾斜角を下方の傾動調整用ビス穴４７Ｂの長さの範囲で調整することができる。もちろん、傾動調整用ビス穴４７Ａ，４７Ｂが、それぞれ支持部４１の所定位置を中心とした円弧状の長穴であってもよい。
【００１４】
前記腕木材３の基端部の下面には、基端側に係止用穴３１が形成され、また先端側に操作用穴３２が形成されている。前記係止用穴３１は、腕木材３が嵌合金具４に挿入されて止め板４３に規制された腕木材３の装着状態で、前記固定用ダボ穴４６と重なり合う位置に形成され、また前記操作用穴３２は、この腕木材３の装着状態で化粧パネル２の前面から少し先端側寄りで、化粧パネル２の前面側から操作可能な位置に形成されている。
【００１５】
前記係脱具５は、図３に示すように、長尺の作動辺部５１から湾曲部５２を介して反力受け部５３まで一体形成された略Ｊ字形（または仮想線で示す略Ｕ字形）の板ばね本体５０を有し、湾曲部５２を主とした板ばね本体５０の弾性により、作動辺部５１と反力受け部５３とが拡開方向に付勢されている。そして、腕木材３への内挿状態では、作動辺部５１が腕木材３の基端側中空部の下面に、また反力受け部５３が基端側中空部の上面にそれぞれ当接される。また作動辺部５１には、前記係止用穴３１から固定用ダボ穴４６に嵌合される固定用ダボ（固定用突起）５４が先端側（遊端側）に突設されるとともに、前記操作用穴３２に嵌合される解除用突起５５が湾曲部５２側に突設されている。また解除用突起５５は固定用ダボ５４より長く形成されている。したがって、腕木材３の基端側中空部に、前記係脱具５を湾曲部５２から挿入して、解除用突起５５を操作用穴３２に嵌入するとともに、固定用ダボ５４を係止用穴３１に嵌入することにより、係脱具５を腕木材３の基端側中空部に容易に装着することができる。
【００１６】
上記構成において、まず棚板８の幅や腕木材３の取付位置、個数を決め、腕木材３の取付位置に対応して、図２（ａ）に示すように支柱１の側面に嵌合金具４をビスを介して取り付けるとともに、嵌合金具４の位置に対応して化粧パネル２に貫通穴７をそれぞれ形成する。この時、初めにビスを上下調整長穴４５，４５に装着して仮止めし、位置調整した後に固定用ビス穴４４，４４にビスを装着して固定したり、あるいはビスを傾動調整穴４７Ａ，４７Ｂに仮止めし、傾斜角を調整した後に固定用ビス穴４４，４４にビスを装着して固定することで、嵌合金具４の上下位置および傾斜角度を調整することができる。
【００１７】
そして支柱１の前面に化粧パネル２を取り付ける。さらに、図４（ａ）に示すように、係脱具５が装着された腕木材３を所定の貫通穴７から嵌合金具４に差し込む。この時、解除用突起５５を押し込んで固定用ダボ５４を後退させた状態で腕木材３を嵌合金具４に嵌め入れる。そして腕木材３の基端部が止め板４３に当接する装着位置で解除用突起５５を離すと、図４（ｂ）に示すように、板ばね本体５０の作用で固定用ダボ５４が係止用穴３１から固定用ダボ穴４６に嵌合されて腕木材３が抜け止めされる。そして、水平方向に対向する腕木材３，３にわたって棚板８を掛け渡して横架する。ここで、棚板８がガラス材などの場合には、腕木材３上にクッション材を介して設置する。
【００１８】
また、棚装置が不要になると、棚板８を取り外し、解除用突起５５を押し込んで固定用ダボ５４を固定用ダボ穴４６から後退させた後、腕木材３を嵌合金具４から抜き出す。そして貫通穴７にキャップ６を嵌め込んで閉じ化粧パネル２を平坦な状態とする。また再度、棚装置を設置する時には、貫通穴７からキャップ６を外して腕木材３を取り付ければよい。
【００１９】
上記実施の形態によれば、棚装置を設置する場合は、腕木材３を貫通穴７を介して嵌合金具４に嵌め入れて係脱具５により抜け止めし、さらに腕木材３間に棚板８を横架する。また棚装置を撤去する場合は、棚板８を腕木材３から外し、腕木材３の解除用突起５５を押して係脱具５を解除した後、腕木材３を嵌合金具４から引き抜く。さらに貫通穴７をキャップ６で閉じることにより、平坦な化粧パネル２とする。このように、組立や分解が容易で、非使用時には、化粧パネル２を平坦面として通常の壁面と変わりないように使用でき、使い勝手がよい棚装置となる。
【００２０】
また嵌合金具４は、複数の調整用ビス穴４５，４５、４７Ａ，４７Ｂにより上下位置または傾斜角度を調整して支柱１に取り付けることができる。
さらに係脱具５が、拡開方向に付勢される板ばね本体５０の作動辺部５１に解除用突起５５と固定用ダボ５４とを設けて腕木材３の基端側中空部に内挿されるので、簡単な構造で低コストで製造でき、容易に腕木材３に装着することができる。また解除用突起５５を化粧パネル２の前面側から係脱具５を解除操作できるように配置したので、嵌合金具４に対する腕木材３の挿入、離脱を化粧パネル２に貫通穴７を介して容易に行うことができる。
【図面の簡単な説明】
【００２１】
【図１】本考案に係る棚装置の実施の形態を示す部分斜視図である。
【図２】同棚装置の嵌合金具の外観図で、（ａ）は支柱への取付作業を示す斜視図、（ｂ）は右側面図、（ｃ）は正面図である。
【図３】同棚装置の腕木材の係脱具を示す外観図で、（ａ）は右側面図、（ｂ）は斜視図、（ｃ）は分解斜視図である。
【図４】同腕木材と嵌合金具を示す縦断面図で、（ａ）は装着前の状態を示し、（ｂ）は装着状態を示し、（ｃ）は（ｂ）に示すＡ−Ａ断面図である。
【符号の説明】
【００２２】
１    支柱
２    化粧パネル
３    腕木材
４    嵌合金具
５    係脱具
６    キャップ
７    貫通穴
８    棚板
３１    係止用穴
３２    操作用穴
４１    支持部
４２    取付片
４３    止め板
４６    固定用ダボ穴
５０    板ばね本体
５１    作動辺部
５２    湾曲部
５３    反力受け部
５４    固定用ダボ
５５    解除用突起
【図１】
0003119763.tif 000003
【図２】
0003119763.tif 000004
【図３】
0003119763.tif 000005
【図４】
0003119763.tif 000006